(57)【特許請求の範囲】
【請求項１】
既設ケーブルに沿って敷設した新設ケーブルをクリップで支持したケーブル敷設用クリップにおいて、上記既設ケーブルに所定間隔で取り付けた上記クリップにそれぞれ筒状の挿入部を設け、この挿入部内に上記新設ケーブルを移動可能に挿通すると共に、上記クリップは、上記既設ケーブルに当接する湾曲面を有する支持部と、この支持部よりも上記挿入部側に位置する部分に孔を形成した連結部と、この孔に挿通して上記支持部を上記既設ケーブルに支持する結束体とを備え、かつ、上記連結部および上記支持部は、それぞれ対向配置した一対の構成を有して上記挿入部に固定され、上記一対の構成をそれぞれ離反する方向に開いた状態の上記連結部および上記支持部の対向部から、上記新設ケーブルを挿入して上記挿入部内に位置させたことを特徴とするケーブル敷設用クリップ。
【発明の詳細な説明】
【０００１】
【発明の属する技術分野】
本発明はケーブル敷設用クリップに係わり、特に、既設ケーブルであるエレベータのテールコードに沿って新設ケーブルを敷設するのに好適なケーブル敷設用クリップに関する。
【０００２】
【従来の技術】
一般にエレベータにおいては、乗りかごの下部と機械室の制御盤との間をテールコードによって接続しており、このテールコードの乗りかご側は乗りかごの乗降に追従するように成されている。既設ケーブルであるこのテールコードに沿って、新設ケーブルである撮影画像伝送用の同軸ケーブルを敷設する場合があり、従来の敷設作業方法を図３により説明する。
【０００３】
先ず、第一段階としてステップＳ１で、テールコード１に同軸ケーブル２を固定する位置を決め、バインド線３で同軸ケーブル２を包囲する。次に、ステップＳ２としてバインド線３を同軸ケーブル２のテールコード１側で数回捻って同軸ケーブル２に締め付け固定する。その後、このバインド線３をステップＳ３で今度はテールコード１に巻き付け数回捻って締め付け固定する。次に、図示しないペンチでバインド線の余分な端部を切断すると共に、ステップＳ４でバインド線３の端部をテールコード１の外周に沿って折り曲げる端部処理を行なう。このような固定作業をテールコード１の長手方向に沿って所定間隔で行なって同軸ケーブル２をテールコード１に固定している。
【０００４】
【発明が解決しようとする課題】
しかしながら、従来の敷設作業では、断面積の異なるテールコード１と同軸ケーブル２とをテールコード１の長手方向に沿って所定間隔でバインド線３で連結していたため、最小曲げ半径が異なるテールコード１と同軸ケーブル２を所定間隔で接続することになり、テールコード１に悪影響を及ぼしてしまう。つまり、テールコード１は、エレベータの乗りかごの昇降に伴い一定の曲げ半径を保ちながら移動することになるが、連結した異なる曲げ半径の同軸ケーブル２がこれに影響を与えることになる。このため、互いに連結したテールコード１と同軸ケーブル２の揺れが大きくなり、昇降路内の突起物に接触する恐れがあった。
【０００５】
本発明の目的とするところは、移動に伴う揺動を抑えて既設ケーブルに沿って新設ケーブル敷設することができるようにしたケーブル敷設用クリップを提供することにある。
【０００６】
【課題を解決するための手段】
本発明は上記目的を達成するために、既設ケーブルに沿って敷設した新設ケーブルをクリップで支持したケーブル敷設用クリップにおいて、上記既設ケーブルに所定間隔で取り付けた上記クリップにそれぞれ筒状の挿入部を設け、この挿入部内に上記新設ケーブルを移動可能に挿通すると共に、上記クリップは、上記既設ケーブルに当接する湾曲面を有する支持部と、この支持部よりも上記挿入部側に位置する部分に孔を形成した連結部と、この孔に挿通して上記支持部を上記既設ケーブルに支持する結束体とを備え、かつ、上記連結部および上記支持部は、それぞれ対向配置した一対の構成を有して上記挿入部に固定され、上記一対の構成をそれぞれ離反する方向に開いた状態の上記連結部および上記支持部の対向部から、上記新設ケーブルを挿入して上記挿入部内に位置させたことを特徴とする。
【０００７】
本発明によるケーブル敷設用クリップは、上述のように既設ケーブルに所定間隔で取り付けたクリップに筒状の挿入部を設け、この挿入部内に新設ケーブルを移動可能に挿通して支持したため、両ケーブルの曲げ半径が異なる場合でも、挿入部内に挿通した新設ケーブルの移動によって既設ケーブルの曲がり部に悪影響を与えることがなく、移動に伴う揺動を抑えて既設ケーブルに沿って他のケーブルを新設することができる。
【０００８】
【発明の実施の形態】
以下、本発明の実施の形態を図面によって説明する。
図１は本発明の一実施の形態によるケーブル敷設用クリップを採用したエレベータ昇降路の縦断面図である。
昇降路４内には、移動体である釣り合いおもり５と乗りかご６が、巻上器に中間部を巻き掛けたロープ７を介してつるべ式に連結されて配置されている。昇降路４の上方の機械室８にはエレベータ制御回路が組み込まれた制御盤９が設置され、この制御盤９の図示しない端子と、昇降路４の中間部に固定した端子箱１０内の図示しない端子間は、ケーブル１１によって連結されている。乗りかご６の下部の図示しない端子と端子箱１０内の図示しない端子間は、テールコード１によって連結されている。また、乗りかご６内にはテレビカメラ１２が取り付けられており、このテレビカメラ１２は機械室８に設けられたビデオデッキ１３と撮影画像伝送用の同軸ケーブル２で接続されている。ここで、ビデオデッキ１３としては所定時間間隔でコマ撮りを行なうタイムラプスビデオデッキ等が用いられている。
【０００９】
次に、この同軸ケーブル２を敷設する場合の敷設作業について説明する。
この同軸ケーブル２は、乗りかご６の上部から乗りかご６の下部に一旦敷設した後、乗りかご６の下部に配設されているテールコード１に沿って複数のクリップ１５で保持させる。端子箱１０では結束バンドやバインド線で同軸ケーブル２固定させ、次に、ケーブル１１を保持する図示しないケーブル保持具や昇降路４に設置される図示しないブラケットに結束バンドを利用して、同軸ケーブル２をケーブル１１に沿わせて複数箇所で保持しながら機械室８まで敷設する。その後、同軸ケーブル２の両端部をテレビカメラ１２およびビデオデッキ１３にそれぞれ接続する。
【００１０】
図２はクリップ１５による支持部を拡大して示す斜視図である。
クリップ１５は、同軸ケーブル２の直径より大きい内径を有し、例えば、同軸ケーブル２の直径が１ｃｍならば内径は１．５ｃｍを有し、同軸ケーブル２が挿入される円筒形の挿入部１５Ａと、テールコード１との当接面が湾曲面で形成された左右一対の支持部１５Ｂと、この支持部１５Ｂと挿入部１５Ａを接続する左右一対の連結部１５Ｃとから成り、この連結部１５Ｃにおける支持部１５Ｂと接触する近傍の位置に結束体である結束バンド１４を挿入する孔１５Ｄが形成されている。また左右一対の連結部１５Ｃ間は、両支持部１５Ｂを互いに離反する方向に広げたとき、同軸ケーブル２の直径寸法より広く開くように構成されている。
【００１１】
次に、クリップ１５を用いて同軸ケーブル２をテールコード１に支持する作業について詳細に説明する。
先ず、クリップ１５の両支持部１５Ｂを互いに離反する方向に広げて支持部１５Ｂ間を十分に広げ、この支持部１５Ｂ間から同軸ケーブル２を挿入部１５Ａ内へ挿通する。この後、クリップ１５の支持部１５Ｂをテールコード１の適当な固定位置に当接させながら、連結部１５Ｃに形成した孔１５Ｄに結束バンド１４を挿入し、この結束バンド１４をテールコード１に結ぶことにより、クリップ１５を介して同軸ケーブル２をテールコード１へ固着させる。このときのクリップ１５による固定は、テールコード１の長手方向に１メートル程度の間隔で設ければ良い。
【００１２】
このような構成のケーブル敷設用クリップによれば、それぞれ曲げ半径の異なるテールコード１と同軸ケーブル２は、乗りかご６の昇降に伴い曲がり部分も昇降するが、同軸ケーブル２の曲げ部分の移動でテールコード１の曲がり部分に左右方向の力が働こうとしても、テールコード１に加えた力の反作用で同軸ケーブル２がクリップ１５の挿入部１５Ａの中で長手方向に移動して吸収するので、従来のようにテールコード１と同軸ケーブル２とを一体に固着した場合のようにテールコード１の揺れを大きくしてしまうことがない。また、テールコード１に当接する湾曲部とした支持部１５Ｂを形成すると共に、この支持部１５Ｂの挿入部１５Ａに孔１５Ｄを形成したため、孔１５Ｄを通した結束バンド１４による締め付け力は支持部１５Ｂによって分散してテールコード１に加えられることになり、従来のようにテールコード１の心線へ悪影響を与えることもない。
【００１３】
上述したクリップ１５の材質は、加工の容易さから硬質ゴムやプラスチックが適しており、同軸ケーブル２と接触するかも知れない挿入部１５Ａの内面は摩擦抵抗が少ない程良いので、テフロン加工されたテープを挿入部１５Ａの内面や端部に貼り付けても良い。
【００１４】
また、本実施の形態では、結束体を結束バンド１４で説明したが、針金やバインド線及び紐を用いてもよく、この結束体を挿通させる孔１５Ｄの形状は図２に示す丸穴としたが、孔であれば形状は問わず、連結部１５Ｃに切り込みを形成させても同様の効果が得られる。また、クリップ１５を支持させるテールコード１の形状は横断面が丸形のテールコードで説明したが、横断面形状が略長方形の平形テールコードの短辺にクリップ１５の支持部１５Ｂを当接させれば同様の効果が得られる。
【００１５】
尚、上述した実施の形態では、エレベータにおいて予め敷設したテールコード１に沿って同軸ケーブル２を敷設する場合のケーブル敷設用クリップについて述べたが、これに限らず、既設ケーブルに沿って新設ケーブルを敷設する場合のケーブル敷設用クリップに適用することができる。
【００１６】
【発明の効果】
以上説明したように本発明によるケーブル敷設用クリップは、既設ケーブルに所定間隔で取り付けたクリップに筒状の挿入部を設け、この挿入部内に新設ケーブルを移動可能に挿通したため、両ケーブルの曲げ半径が異なる場合でも、挿入部内に挿通した新設ケーブルの移動によって既設ケーブルの曲がり部に悪影響を与えることがなく、移動に伴う揺動を抑えて既設ケーブルに沿って他のケーブルを敷設することができる。
【図面の簡単な説明】
【図１】本発明の一実施の形態によるケーブル敷設用クリップを適用したエレベータの縦断面図である。
【図２】図１に示したエレベータの要部拡大斜視図である。
【図３】従来のケーブル敷設作業手順を示す作業部である。
【符号の説明】
１  テールコード
２  同軸ケーブル
６  乗りかご
１４  結束バンド
１５  クリップ
１５Ａ  挿入部
１５Ｂ  支持部
１５Ｃ  連結部
１５Ｄ  孔
【図１】
0003816631.tif 000002
【図２】
0003816631.tif 000003
【図３】
0003816631.tif 000004